(57)【要約】【課題】モダン部の柔軟性を損なうことなく、柔軟に且つ細かく重心位置のバランス調整を行うことのできる眼鏡フレームを提供する。【解決手段】眼鏡フレーム１のモダン部１０を、塑性変形可能な芯金１１と、芯金１１上に一列に配列された着脱可能な複数の錘コマ１２と、ストッパ１３、１４とで構成する。錘コマ１２は、貫通孔１２ａに芯金１１を通すことで、芯金の外周に装着し、隣り合うもの同士の密着を、各錘コマ１２の両端面に形成した同曲率の凸面１２ｃと凹面１２ｄの密着によって行う。比重の違う錘コマ１２の群を用意し、錘コマ１２の交換でモダン部１０の重さを調節する。【選択図】      図１
2004184819.tif 000002
【特許請求の範囲】
【請求項１】
一対のテンプルの後端部にモダン部を有する眼鏡フレームにおいて、前記モダン部が、テンプルの延長方向に沿って延在する塑性変形可能な芯材と、その芯材上に該芯材の延在方向に沿って配列された着脱可能な複数の錘コマと、で構成されていることを特徴とする眼鏡フレーム。
【請求項２】
前記複数の錘コマが、隣り合うもの同士を密着させ且つ前記芯材の塑性変形を許容する状態で、前記芯材の延在方向に沿って一列に配列されていることを特徴とする請求項１記載の眼鏡フレーム。
【請求項３】
前記複数の錘コマの前記芯材の延在方向への動きを規制する固定手段が前記複数の錘コマの配列の両端に設けられており、これら両端の固定手段のうち少なくともいずれかの固定手段を取り外すことで、芯材からの錘コマの着脱が可能とされていることを特徴とする請求項２記載の眼鏡フレーム。
【請求項４】
前記各錘コマが、該各錘コマに形成した貫通孔に前記芯材を通すことで、芯材の外周に装着されていることを特徴とする請求項２または３記載の眼鏡フレーム。
【請求項５】
前記錘コマの隣り合うもの同士の密着が、該隣接する錘コマの端面の同曲率の凸面と凹面の密着によるものであることを特徴とする請求項４記載の眼鏡フレーム。
【請求項６】
前記芯材の許容曲げ半径に応じて、前記錘コマの芯材の延在方向における長さ、前記貫通孔の径、芯材と貫通孔との隙間、前記凸面と凹面の曲率が設定されていることを特徴とする請求項５記載の眼鏡フレーム。
【請求項７】
前記複数の錘コマが、すべて同じ形状のものであることを特徴とする請求項１〜６のいずれかに記載の眼鏡フレーム。
【請求項８】
前記複数の錘コマの中に、互いに形状の異なるものが含まれていることを特徴とする請求項１〜６のいずれかに記載の眼鏡フレーム。
【請求項９】
前記複数の錘コマが、モダン部の前端側から後端側へ向けて一定の順序で配列されており、その配列位置に応じて、芯材の延在方向と直交する方向のサイズがなだらかに変化するものであることを特徴とする請求項８記載の眼鏡フレーム。
【請求項１０】
前記複数の錘コマが、モダン部の前端側から後端側へ向けて一定の順序で配列され、且つ、その配列位置に応じて、芯材の延在方向におけるコマ長さが変化しており、芯材の想定される曲げ半径の小さい領域ほど、コマ長さの小さい錘コマが配列されていることを特徴とする請求項８または９に記載の眼鏡フレーム。
【請求項１１】
前記芯材に装着される錘コマが、比重の異なる材料よりなる錘コマ群の中から選択されたものであることを特徴とする請求項１〜１０のいずれかに記載の眼鏡フレーム。
【請求項１２】
前記芯材に前記複数の錘コマが装着された状態で、モダン部にチューブ状のカバーが被覆されていることを特徴とする請求項１〜１１のいずれかに記載の眼鏡フレーム。
【請求項１３】
一対のテンプルの後端部にモダン部を有する眼鏡フレームにおいて、前記モダン部に空洞部が設けられており、その空洞部の内部にモダン部の塑性変形を許容する状態で着脱可能に錘材が収容されていることを特徴とする眼鏡フレーム。
【請求項１４】
前記錘材として、複数の玉状または棒状の小錘体が使用されていることを特徴とする請求項１３記載の眼鏡フレーム。
【請求項１５】
前記錘材として、粉末体または微粒体が使用されていることを特徴とする請求項１３記載の眼鏡フレーム。
【発明の詳細な説明】
【０００１】
【発明の属する技術分野】
本発明は、重心位置を耳側に近づけることで、装用感の向上を図れるようにした眼鏡フレームに関する。
【０００２】
【従来の技術】
眼鏡の重さは、通常、鼻と耳で支えており、その重量配分は、レンズやフレームの種類や材質などによっては極度に鼻にかかる重量が大きくなる場合がある。
鼻にかかる荷重が大きいと、汗をかいたときのずり落ち等の原因にもなり、装用感が悪くなる。従って、装用感を良くするためには、重心位置を耳側に移動し鼻にかかる荷重を減らすことが有効であるとみられている。
【０００３】
従来、テンプルの後端側に錘を付けることで眼鏡の重心位置を耳側に寄せる、いわゆるカウンタバランス方式の眼鏡が提案されている（例えば、特許文献１、特許文献２参照）。これは耳にかけるモダン側の重量を大きくすることにより、眼鏡全体の重心位置を後方に移動させてバランスをとるものである。こうすることにより、鼻側に眼鏡がずり落ちるのを防止することができるので、装用感が向上する。
【０００４】
図１６は、従来のカウンタバランス方式を使用した眼鏡の構成の一例を示す図である。この眼鏡６００には、モダン６０３の内部で芯金６０１の先端よりも後方の位置にバランス用の錘６０２が設けられている。これにより、錘６０２の荷重Ｆ２によって、眼鏡６００全体には、耳６０４の上部を支点とした右回りのモーメントが増加し、鼻６０５への荷重Ｆ１が減少して、装用感が向上する。
【０００５】
また、錘を別に取り付けるのではなく、モダンを構成する樹脂にタングステン等の高比重材料を混入させて、同じカウンタバランス効果を得るようにした眼鏡もある（例えば、特許文献３参照）。また、テンプルの後端側を伸縮自在に構成し、その先端に錘を設けることにより、鼻にかかる荷重を任意に調整できるようにした眼鏡もある（例えば、特許文献４参照）。
【０００６】
【特許文献１】
特開昭５９−２１９７１８号公報
【特許文献２】
実開昭６４−４３３２８号公報
【特許文献３】
特開平９−９０２８７号公報
【特許文献４】
特開昭５４−８２２５０号公報
【０００７】
【発明が解決しようとする課題】
しかし、従来のように、モダン部に別構成の錘を取り付けたりする場合には、フィッティングの際のモダン部の柔軟性を損ねたり、美観を損ねたりする問題があった。また、モダン部を構成する樹脂に高比重材料を混入する場合には、樹脂自体の性質を損ねるおそれがあるため、高濃度に高比重材料を混入させることができず、結果的にバランス調整の幅が小さく制限されてしまう問題があった。
【０００８】
また、それらの問題の他にも、大きな問題として次のような問題があった。即ち、眼鏡の重量バランスは、実際に嵌めるレンズの重さなどによって微妙に変化するものであるため、極めて柔軟にバランス調整ができることが本来は望まれるのであるが、従来のものは、実際に細かくバランス調整しようとしても、大雑把な調整しかできず、また、一度調整されたものを変更するのが難しいため、バランス調整の自由度が低く柔軟性の低いものであった。
【０００９】
これに対し、特許文献４に記載されたもののように、任意にバランス調整できるような機構をフレームに設けた場合には、バランス調整の自由度は高くなるものの、その機構の分だけ形状が大きくなり、しかも、バランス調整するために形状を変化させなければならないことから、フレーム重量が重くなったり、美観を損なったりする問題があった。
【００１０】
本発明は、上記事情を考慮し、バランス調整のためにむやみに形状が大きくなったり重量が重くなり過ぎたりすることがなく、しかも、美観やフィッティングの際のモダン部の柔軟性を損なうことなく、柔軟に且つ細かく重心位置のバランス調整を行うことのできる眼鏡フレームを提供することを目的とする。
【００１１】
【課題を解決するための手段】
請求項１の発明は、一対のテンプルの後端部にモダン部を有する眼鏡フレームにおいて、前記モダン部が、テンプルの延長方向に沿って延在する塑性変形可能な芯材と、その芯材上に該芯材の延在方向に沿って配列された着脱可能な複数の錘コマと、で構成されていることを特徴とする。
【００１２】
この眼鏡フレームでは、複数の錘コマが芯材上に配列されているものの、モダン部を構成する芯材が塑性変形可能になっているので、既存の眼鏡フレームのモダン部と同様に、モダン部を自由に曲げて、装用者の耳にフィッティングさせることができる。また、モダン部に設けた複数の錘コマが、耳部を支点にしたカウンタバランス機能を発揮するので、眼鏡の重心位置を耳側に近寄せることができて、装用感の向上を図ることができる。また、複数の錘コマは芯材に対して着脱可能であるため、錘コマの配列順序を変えたり、装着する錘コマを他に用意したものと交換したりすることが自由にできる。例えば、芯材に装着した複数の錘コマの重量をそれぞれ違えておいた場合、錘コマの配列順序を変更することによって、モダン部自体の重心位置の調整が可能となる。従って、それにより、眼鏡全体の重心位置の調整ができることになる。また、比重の違う錘コマを多種類用意しておき、芯材に装着する錘コマを適宜に交換することで、モダン部の重さを変えることができる。従って、それにより、眼鏡全体の重心位置の調整ができることになる。このため、眼鏡の微妙な重心位置の調整が、錘コマを交換するという簡単な操作によって柔軟にできるようになる。
【００１３】
請求項２の発明は、請求項１において、前記複数の錘コマが、隣り合うもの同士を密着させ且つ前記芯材の塑性変形を許容する状態で、前記芯材の延在方向に沿って一列に配列されていることを特徴とする。
【００１４】
この眼鏡フレームでは、隣り合う錘コマ同士が密着した関係にあるので、複数の錘コマを装着しながらも、隙間なく錘コマが一列に並ぶことで、１本の棒のようになり、デザイン性が増す。また、隣り合う錘コマ同士が密着しながらも、芯材の塑性変形が可能となっているから、フィッティングの際の障害となることもない。
【００１５】
請求項３の発明は、請求項２において、前記複数の錘コマの前記芯材の延在方向への動きを規制する固定手段が前記複数の錘コマの配列の両端に設けられており、これら両端の固定手段のうち少なくともいずれかの固定手段を取り外すことで、芯材からの錘コマの着脱が可能とされていることを特徴とする。
【００１６】
この眼鏡フレームでは、錘コマの配列の両端を固定手段で規制しているので、錘コマが無用に動くことがなく、隣り合う錘コマ同士の密着状態が維持される。
また、いずれかの固定手段を取り外すことで、簡単に錘コマの出し入れができるので、錘コマの交換が容易であり、眼鏡の重心位置の調整が簡単にできる。
【００１７】
請求項４の発明は、請求項２または３において、前記各錘コマが、該各錘コマに形成した貫通孔に前記芯材を通すことで、芯材の外周に装着されていることを特徴とする。
【００１８】
この眼鏡フレームでは、各貫通孔に芯材を通しながら、錘コマを一列に配列することができるため、錘コマを芯材に確実且つ簡単に装着することができ、装着性が良い。また、芯材の外周に錘コマが配列されることになるので、錘コマによってモダン部のデザインを決めることができ、例えば、錘コマのカラーバリエーションを揃えることで、モダン部のカラー変更にも柔軟に対応できる。
【００１９】
請求項５の発明は、請求項４において、前記錘コマの隣り合うもの同士の密着が、該隣接する錘コマの端面の同曲率の凸面と凹面の密着によるものであることを特徴とする。
【００２０】
この眼鏡フレームでは、隣り合う錘コマ同士の密着を凸面と凹面の組み合わせで行っているので、芯材の塑性変形に伴って隣り合う錘コマ同士の接触角度が変わっても、隙間のない密着状態を維持することができる。また、同曲率の凸面と凹面の接触であるから、いずれの方向の曲げに対しても抵抗を生じることがなく、芯材の円滑な曲げを妨げない。また、芯材が曲がっても、錘コマの配列長さが変わることはなく、モダン部の曲げに支障をきたすことがない。
【００２１】
請求項６の発明は、請求項５において、前記芯材の許容曲げ半径に応じて、前記錘コマの芯材の延在方向における長さ、前記貫通孔の径、芯材と貫通孔との隙間、前記凸面と凹面の曲率が設定されていることを特徴とする。
【００２２】
錘コマの貫通孔に芯材を通しながら、錘コマを芯材の外周上に一列に配列する場合、錘コマの軸方向（＝芯材の延在方向）長さ、貫通孔の径、芯材と貫通孔との隙間、錘コマの端面の凸面と凹面の曲率、が芯材の曲げ率に影響を与える。そこで、この眼鏡フレームでは、芯材の許容曲げ半径に応じてそれらの値を決定している。
【００２３】
請求項７の発明は、請求項１〜６のいずれかにおいて、前記複数の錘コマが、すべて同じ形状のものであることを特徴とする。
【００２４】
この眼鏡フレームでは、錘コマの形状を全て同じ形状としているので、錘コマの配列順序を変えても、モダン部の外観形状が変わらない。
【００２５】
請求項８の発明は、請求項１〜６のいずれかにおいて、前記複数の錘コマの中に、互いに形状の異なるものが含まれていることを特徴とする。
【００２６】
この眼鏡フレームでは、錘コマの中に形状の異なるものが含まれているので、その形状の違いを認識しながら錘コマを配列することができる。例えば、形状の違いに応じて、予め決まった順番で錘コマを配列することが容易にでき、配列の順番の間違えを防ぐことができる。
【００２７】
請求項９の発明は、請求項８において、前記複数の錘コマが、モダン部の前端側から後端側へ向けて一定の順序で配列されており、その配列位置に応じて、芯材の延在方向と直交する方向のサイズがなだらかに変化するものであることを特徴とする。
【００２８】
例えば、錘コマを一列に配列した場合、芯材の延在方向と直交する方向の錘コマのサイズ（ここでは「径方向のサイズ」と呼ぶ）が均一ならば、モダン部は、太さの均一な棒状のものとなるが、請求項９の発明の眼鏡フレームのように、錘コマの径方向のサイズを配列位置に応じてなだらかに変化させておけば、モダン部は、太さの変化する棒状のものとなる。従って、錘コマのサイズの変化を適当に選択することで、従来のモダン部のように、末端に行くほどに断面が徐々に大きくなるモダン部を構成することもできる。
【００２９】
請求項１０の発明は、請求項８または９において、前記複数の錘コマが、モダン部の前端側から後端側へ向けて一定の順序で配列され、且つ、その配列位置に応じて、芯材の延在方向におけるコマ長さが変化しており、芯材の想定される曲げ半径の小さい領域ほど、コマ長さの小さい錘コマが配列されていることを特徴とする。
【００３０】
前項（請求項９）の発明では、錘コマのサイズの変化を、錘コマの径方向に与えていたが、請求項１０の発明では、錘コマのサイズの変化を、錘コマの長さ方向（芯材の延在方向）に与えている。そして、芯材の想定される曲げ半径の小さい領域ほどコマ長さの小さい錘コマを配列している。
【００３１】
このように錘コマの長さを変化させることで、例えば、錘コマの使用個数を減らすことができる。即ち、錘コマの使用個数を減らすために、単に錘コマの長さを大きくして配列した場合は、モダン部の曲げに支障が生じる可能性がある。そこで、請求項１０の発明では、曲げの大きい領域ほど長さの小さい錘コマを配列し、他の領域では長さの大きい錘コマを配列するようにしている。こうすることで、モダン部の曲げ性能に支障を来さずに、錘コマの使用個数を減らすことができる。なお、請求項１０の発明は、請求項９の発明と組み合わせてもよい。
【００３２】
請求項１１の発明は、請求項１〜１０のいずれかにおいて、前記芯材に装着される錘コマが、比重の異なる材料よりなる錘コマ群の中から選択されたものであることを特徴とする。
【００３３】
この眼鏡フレームでは、比重の異なる錘コマを自由に選択して取り付けることができ、モダン部の重さを自由に変えることができる。従って、眼鏡全体の重心位置の調整を柔軟に行うことができる。
【００３４】
請求項１２の発明は、請求項１〜１１のいずれかにおいて、前記芯材に前記複数の錘コマが装着された状態で、モダン部にチューブ状のカバーが被覆されていることを特徴とする。
【００３５】
この眼鏡フレームでは、芯材及びそれに装着された多数の錘コマを、チューブ状のカバーで被覆しているので、カバーによってモダン部の外観デザイン（特に色、艶、感触等）を決めることができる。
【００３６】
請求項１３の発明は、一対のテンプルの後端部にモダン部を有する眼鏡フレームにおいて、前記モダン部に空洞部が設けられており、その空洞部の内部にモダン部の塑性変形を許容する状態で着脱可能に錘材が収容されていることを特徴とする。
【００３７】
この眼鏡フレームでは、モダン部の空洞部に錘材を収容するものの、モダン部が塑性変形できるようになっているので、モダン部を自由に曲げて、装用者の耳にフィッティングさせることができる。また、モダン部に収容した錘材が、耳部を支点にしたカウンタバランス機能を発揮するので、眼鏡の重心位置を耳側に近寄せることができて、装用感の向上を図ることができる。また、空洞部に収容する錘材の重さを変える（例えば、比重の違う錘材を使ったり、錘材の数量を変えたりする）だけで、眼鏡の微妙な重心位置の調整が柔軟にできる。
【００３８】
請求項１４の発明は、請求項１３において、前記錘材として、複数の玉状または棒状の小錘体が使用されていることを特徴とする。
【００３９】
この眼鏡フレームでは、錘材として複数の玉状または棒状の小錘体を使用しているので、比重の違う小錘体を使ったり、小錘体の個数を変えたりすることで、モダン部の重さを簡単に調整することができる。
【００４０】
請求項１５の発明は、請求項１３において、前記錘材として、粉末体または微粒体が使用されていることを特徴とする。
【００４１】
この眼鏡フレームでは、錘材としてを使用しているので、粉末体または微粒体を使用しているので、比重の違う粉末体や微粒体を使ったり、使用量を変えたりすることで、モダン部の重さを簡単に調整することができる。
【００４２】
【発明の実施の形態】
以下、本発明の各実施形態を説明する。
＜第１実施形態＞
図１（ａ）は、第１実施形態の眼鏡フレーム１にレンズ２を嵌めた完成品の眼鏡３の側面視図である。眼鏡フレーム１は、一対のテンプル５の各後端部にモダン部１０を有しており、装用者は、眼鏡フレーム１の鼻パッド４を鼻にのせ、モダン部１０を耳に掛けることで、眼鏡３を装用する。
【００４３】
図１（ｂ）は、そのモダン部１０の構造を拡大して示す断面図である。この眼鏡フレーム１のモダン部１０は、テンプル５の延長方向に沿って延在する塑性変形可能な芯金（芯材）１１と、この芯金１１上に、該芯金１１の延在方向に沿って配列された着脱可能な複数の錘コマ１２と、芯金１１上に配列された複数の錘コマ１２の芯金１１の延在方向への動きを規制するために錘コマ１２の配列の前端と後端に設けられたストッパ（固定手段）１３、１４とからなる。
【００４４】
芯金１１の素材としては、一般的なメタルフレームの素材が利用可能であり、例として、銅合金、ニッケル合金、チタン合金などの塑性曲げ変形が可能な材料が挙げられる。
【００４５】
錘コマ１２の位置を決めるための前端ストッパ１３は例えば樹脂製のもので、芯金１１の外径よりやや小さめに形成した貫通孔を芯金１１に嵌めることで、定位置に固定されている。後端ストッパ１４は、芯金１１に対して着脱可能とされており、止めネジ１５を芯金１１の後端にねじ込むことで、芯金１１の後端に固定されている。芯金１１に装着された錘コマ１２は、後端ストッパ１４を取り外すことで、芯金１１に対して着脱できる。
【００４６】
各錘コマ１２は全て同一形状に形成されており、隣り合うもの同士が密着し且つ芯金１１の塑性変形を許容する状態で、芯金１１の延在方向に沿って一列に配列されている。
【００４７】
図１（ｃ）は錘コマ１２の拡大断面図である。この図に示すように、錘コマ１２は、芯金１１の径よりやや大きい貫通孔１２ａを中心に持つ環状体であり、各錘コマ１２は、自身の貫通孔１２ａに芯金１１を通すことで、芯金１１の外周に装着されている。錘コマ１２の軸線方向（芯金１１の延在方向と一致）の両端面は、貫通孔１２ａの中心軸線１２ｂ上に曲率中心を持つ同曲率の球面状の凸面１２ｃ及び凹面１２ｄとして形成されている。従って、隣り合う錘コマ１２は、凸面１２ｃと凹面１２ｄの面接触によって密着している。
【００４８】
ここでは、各錘コマ１２は、凸面１２ｃをモダン部１０の後端側に向け、凹面１２ｄをモダン部１０の前端側に向けた姿勢で芯材１１上に配列されており、前端ストッパ１３の後端面には、それに隣接する錘コマ１２の凹面１２ｄに対応した凸面１３ｃ（錘コマ１２の凸面１２ｃと同曲率の凸面）が設けられ、後端ストッパ１４の前端面には、それに隣接する錘コマ１２の凸面１２ｃに対応した凹面１４ｄ（錘コマ１２の凹面１２ｄと同曲率の凹面）が設けられている。
【００４９】
なお、錘コマ１２の外周面は、凸球面１２ｃからなだらかに連続する曲面あるいは円筒面として形成されている。
【００５０】
錘コマ１２の素材としては、例えば、タングステン、金、鉄、ニッケル、クロム、銅、コバルト、チタン、アルミニウム、マグネシウムなどの金属、あるいはそれらの合金を利用することができる。また、樹脂、木や石などの天然素材も利用することができる。素材として、比重の大きいタングステン（比重１９．３）や金（比重１９．３）などを用いることによって、モダン部１０を重くすることができるし、逆に、木や竹、発泡樹脂などの比重の軽い素材を用いることによって、モダン部１０を軽くすることができる。
【００５１】
ここでは、重いものと軽いものの２種類の錘コマ１２が用意されている。重い方の錘コマ１２としては、ベリリウム銅のロストワックス製品が用意され、軽い方の錘コマ１２としては、樹脂の射出成形品が用意されている。後者の錘コマ１２は、カウンタバランス用の錘（おもり）というよりも、ダミーとして用意されている。これら２種類の錘コマ１２を適当に組み合わせて配列することにより、モダン部１０の重さを細かく調整することができる。
【００５２】
次に図２を用いて眼鏡３のバランス調整の原理について説明する。
図２の（ａ）は眼鏡３の支持点と重心の関係を模式的に示す図、（ｂ）は力のバランスを示す模式図である。なお、以下の説明では、計算を簡単にするため、フレームの重量はないものとしてある。
【００５３】
眼鏡３の重さは、鼻部と耳部の２つの支点Ａ、Ｂで支える。各符号Ｗ１〜Ｗ４及びＬ１〜Ｌ３は次の通りである。
Ｗ１：レンズ部重量
Ｗ２：鼻部荷重
Ｗ３：耳部荷重
Ｗ４：モダン部重量
Ｌ１：鼻パッドからレンズまでの距離
Ｌ２：鼻パッドから耳接触部までの距離
Ｌ３：耳接触部からモダン部の重心までの距離
【００５４】
鼻部支点Ａの周りのモーメントの釣り合い条件は、
Ｌ１・Ｗ１＋Ｌ２・Ｗ３＝（Ｌ２＋Ｌ３）・Ｗ４
であり、この式から、
Ｗ３＝〔（Ｌ２＋Ｌ３）・Ｗ４−Ｌ１・Ｗ１〕／Ｌ２    …（１）
となる。
【００５５】
また、耳部支点Ｂの周りのモーメントの釣り合い条件は、
（Ｌ２＋Ｌ１）・Ｗ１＝Ｌ２・Ｗ２＋Ｌ３・Ｗ４
であり、この式から、
Ｗ２＝〔（Ｌ２＋Ｌ１）・Ｗ１−Ｌ３・Ｗ４〕／Ｌ２    …（２）
となる。
【００５６】
従って、上記（１）、（２）式より、「モダン部の重量Ｗ４を増加させることによって、耳部支点Ｂに掛かる荷重Ｗ３は増加するものの、鼻部支点Ａにかかる荷重Ｗ２を減らすことができる」ということが分かる。
【００５７】
実際にモダン部１０の重量を決定するには、レンズ材質（比重）、屈折率、装用者度数、玉型、フレーム重量、テンプル長などを参考にしながら、計算によって求めることができる。あるいは、レンズを嵌めた状態で、眼鏡３の重心位置を秤を使用して割り出しながら求めることもできる。
【００５８】
秤を用いて実測的に重心位置を割り出す場合は、２台の秤９１、９２で鼻部支点Ａと耳部支点Ｂの荷重を計測する。例えば、前側の秤９１の計測荷重が８ｇ、後側の秤９２の計測荷重が２ｇであれば、重心の位置は、支点Ａ、Ｂ間の距離を１：４で分ける位置となる。重心位置を例えば３５：６５としたい場合、耳側に追加するウェイトＷは、次の計算により約２．３ｇと計算できる。
【００５９】
（２＋Ｗ）：８＝３５：６５
６５（２＋Ｗ）＝８×３５
１３０＋６５Ｗ＝２８０
６５Ｗ＝２８０−１３０
Ｗ≒２．３
【００６０】
ここで、比重１の樹脂ダミーの錘コマの１個当たりの重量が０．０１７７ｇである場合、比重１９．３のタングステン製の同一形状の錘コマの１個当たりの重量は０．０１７７×１９．３ｇとなる。従って、樹脂製の錘コマからタングステン製の錘コマへの交換による重量増加は、１個当たり（１９．３−１）×０．０１７７＝０．３２ｇとなる。このため、前記Ｗ≒２．３ｇの重量増加を実現するためには、７個の樹脂製の錘コマをタングステン製の錘コマに交換すれば、モダン部への２．３ｇの重量増を実現でき、目標の重心位置とすることができることになる。なお、タングステン製の錘コマの配置位置によって多少重心位置が変わるため、配置位置は必要に応じて調整する。
【００６１】
なお、眼鏡フレーム１のモダン部１０は、フィッティングのために自由に曲げることができるようになっており、図３に示すように、芯金１１の許容曲げ半径Ｒに応じて、各錘コマ１２の長さ（貫通孔１２ａを形成してある部分の軸線方向長さ）Ｂ、貫通孔１２ａの径ｄ１、芯金の直径ｄ２、芯金１１と貫通孔１２ａとの隙間（ｄ１−ｄ２）、凸面１２ｃと凹面１２ｄの曲率半径Ｒ１、Ｒ２などが適正な範囲に設定されている。即ち、芯金１１や錘コマ１２に無理な力がかからずに、自由にモダン部１１を曲げることができるようにするため、各諸元が以下の条件を満足するように設定されている。
【００６２】
（ａ）芯金の想定曲げ半径：Ｒ  ＝１０ｍｍ〜∞
（ｂ）芯金の直径：ｄ２＝１．０〜２．０ｍｍφ
（ｃ）錘コマの長さ：Ｂ  ＝１．０〜５．０ｍｍ
（ｄ）貫通孔の径：ｄ１＝芯金の直径＋０．０５〜０．５ｍｍ
（ｅ）芯金と貫通孔の隙間：ｄ１−ｄ２＝０．０５〜０．５ｍｍ
（ｆ）凸面及び凹面の曲率半径：Ｒ１，Ｒ２＝１．０〜３．０ｍｍ
（ｇ）錘コマの外径Ｄ：２．０〜５．０ｍｍφ
【００６３】
次に作用を述べる。
本実施形態の眼鏡フレーム１は、複数の錘コマ１２を芯金１１上に一列に配列しているものの、モダン部１０を構成する芯金１１が塑性変形可能な状態になっているので、既存の眼鏡フレームのモダン部と同様に、モダン部１０を自由に曲げて、装用者の耳にフィッティングさせることができる。
【００６４】
また、モダン部１０に設けた複数の錘コマ１２が、耳部を支点にしたカウンタバランス機能を発揮することになるので、眼鏡３の重心位置を耳側に近寄せることができて、装用感の向上を図ることができる。また、複数の錘コマ１２は芯金１１に対して着脱可能であるため、錘コマ１２の配列順序を変えたり、装着する錘コマ１２を他に用意したものと交換したりすることが自由にできる。
【００６５】
そこで、例えば、芯金１１に装着した複数の錘コマ１２の重量をそれぞれ違えておいた場合、錘コマ１２の配列順序を変更することによって、モダン部１０自体の重心位置の調整が可能となる。従って、それにより、眼鏡３全体の重心位置の調整ができることになる。また、比重の違う錘コマ１２を用意しておいて、芯金１１に装着する錘コマ１２を適宜に交換することで、モダン部１０自体の重さを変えることができる。従って、それにより、眼鏡３全体の重心位置の調整ができることになる。
【００６６】
具体的には、樹脂製の錘コマ１２とベリリウム銅製の錘コマ１２の組み合わせ個数を変えることで、モダン部１０の重量を調節することができるし、組み合わせ個数が同じ場合であっても、樹脂製の錘コマ１２とベリリウム銅製の錘コマ１２の配列位置を変えることによって、モダン部１０の重心位置を変えることができる。従って、眼鏡３の微妙な重心位置の調整が、錘コマ１２を交換するという簡単な操作によって柔軟にできるようになる。錘コマ１２を比重を違えた材料で多種類用意しておけば、いっそう細かくモダン部１０の重量調節や重心調節を行うことができる。
【００６７】
また、本実施形態の眼鏡フレーム１では、モダン部１０を構成する複数の錘コマ１２が、端面の凸面１２ｃと凹面１２ｄを密着させながら隙間なく一列に並んでいるので、多数の錘コマ１２を使うものの、全体が１本の棒のような体裁になり、外観意匠性がよくなる。また、隣り合う錘コマ１２同士を密着させているものの、密着を同曲率の凸面１２ｃと凹面１２ｄの面接触で行っているので、芯金１１の曲げ変形に伴って隣り合う錘コマ１２同士の接触角度が変わっても、隙間のない密着状態を維持することができるし、いずれの方向の曲げに対しても抵抗を生じることなく、芯金１１の円滑な曲げを妨げなくなる。また、芯金１１が曲がっても、錘コマ１２の配列長さが変わることがなく、従って、両端のストッパ１３、１４で錘コマ１２の位置を規制していても、モダン部１０の曲げに支障をきたすことがなく、フィッティングを円滑に行うことができる。
【００６８】
また、各錘コマ１２の貫通孔１２ａを芯金１１に通しながら、錘コマ１２を一列に配列することができるため、錘コマ１２を芯金１１に確実且つ簡単に装着することができ、装着性が良い上、芯金１１の外周に錘コマ１２が配列されることになるので、例えば、錘コマ１２の形状や色等によってモダン部１０のデザインを決めることができる。
【００６９】
次に本発明の他の実施形態について説明する。
＜第２実施形態＞
図４は第２実施形態の眼鏡フレームにおけるモダン部１０Ｂの構成を示す断面図である。この眼鏡フレームのモダン部１０Ｂは、第１実施形態の眼鏡フレームのモダン部１０にチューブ状のカバー２０を被覆してなるものである。その他の構成は第１実施形態と同様であるので説明は省略する。
【００７０】
カバー２０の材料としては、シリコン樹脂、ＣＰ材、熱収縮樹脂などの弾性樹脂が採用できる。ここでは、カバー２０として熱収縮チューブを使用しており、熱収縮チューブ製のカバー２０を錘コマ１２の配列の上から被せて熱をかけて収縮させてある。このカバー２０は、透明でも半透明でも非透明でもよく、また、着色してあっても非着色であってもよい。このカバー２０を被せることにより、モダン部１０Ｂの外観デザイン（色、艶、感触等）を決めることができ、ファッション性を出すことができると共に、金属の露出をなくすことで、アレルギー性皮膚炎などの金属アレルギーの防止を図ることも可能となる。
【００７１】
＜第３、４実施形態＞
次に図５を参照して、第３実施形態及び第４実施形態の眼鏡フレームについて説明する。図５（ａ）は第１実施形態の眼鏡フレームのモダン部１０の概略図、（ｂ）は第３実施形態の眼鏡フレームのモダン部１０Ｃの概略図、（ｃ）は第４実施形態の眼鏡フレームのモダン部１０Ｄの概略図である。
【００７２】
第３実施形態のモダン部１０Ｃは、第１実施形態のモダン部１０と錘コマ１２の向きを反対にして取り付けたものである。即ち、凸面１２ｃをモダン部１０Ｃの前端側に向け、凹面をモダン部１０Ｃの後端側に向けた姿勢で、錘コマ１２を芯金上に一列に配列している。また、この向きに錘コマ１２を配列するため、前端ストッパ１３Ｂの後端に凹面１３ｄを設け、後端ストッパ１４Ｂの前端面に凸面１４ｃを設けている。
【００７３】
第４実施形態のモダン部１０Ｄは、両端面に凸面１２ｃを形成した錘コマ１２Ａと、両端面に凹面１２ｄを形成した錘コマ１２Ｂを用意し、それを交互に配列したものである。
【００７４】
＜第５実施形態＞
図６は第５実施形態の眼鏡フレームのモダン部１０Ｅの概略図である。このモダン部１０Ｅでは、前端ストッパ１３Ｃをテンプル５と一体に形成している。
【００７５】
＜第６実施形態＞
図７は第６実施形態の眼鏡フレームのモダン部１０Ｆの概略図である。この眼鏡フレームでは、モダン部１０Ｆの芯金（図示略）１１の前端をテンプル５に対して着脱自在に連結しており、接続部１８を緩めることで、モダン部１０Ｆ全体を取り外せるようになっている。この場合の接続部１８は、テンプル５の後端に形成した雌ネジ孔１８ａと、芯金１１の先端に設けた雄ネジ１８ｂとで構成されている。錘コマ１２の動きを規制する前端ストッパ１３Ｄは、テンプル５の後端に一体化されており、前端ストッパ１３Ｄの端面に雌ネジ孔１８ａが形成されている。従って、錘コマ１２の着脱は、接続部１８を緩め、モダン部１０Ｆを取り外すことにより、芯金１１の前端側から行うことができる。よって、後端ストッパ１４は芯金１１に一体に設けておいてもよい。なお、前端ストッパ１３Ｄの端面は、錘コマ１２の端面に形成した凹面１２ｄと同曲率の凸面１３ｃとして形成されている。もちろん、錘コマ１２を図５（ｂ）のように逆向きに取り付ける場合には凹面に形成する。
【００７６】
上記第１〜第６実施形態では、錘コマを同一形状〔図５（ｃ）は例外〕に形成した場合を主に示したが、錘コマの形状（主にサイズ）を、その配列の中で変化させるようにしてもよい。その場合、最も単純な場合でも、複数の錘コマの中に互いに形状の異なるものを含ませておくだけで、その形状の違いを認識しながら錘コマを配列することができるようになる。従って、例えば、形状の違いに応じて、予め決まった順番で錘コマを配列することが容易にできるようになり、配列の順番の間違えを防ぐことができる。また、このようにすることで、デザイン上の自由度も高くなる。以下、その具体的な実施形態について説明する。
【００７７】
例えば、錘コマのサイズを変える場合、径方向にサイズを変化させる場合と、軸方向にサイズを変化させる場合とが考えられる。図８は前者の場合、図９は後者の場合の例である。
【００７８】
＜第７実施形態＞
図８に示す第７実施形態の眼鏡フレームのモダン部１０Ｇでは、錘コマ１１２の外径Ｄが配列位置に応じてなだらかに変化するように設定されている。即ち、モダン部１０Ｇの前端側から後端側に行くほど、錘コマ１１２の外径が大きくなっている。従って、錘コマのサイズが均一の場合は、図５（ａ）のように、モダン部が均一な太さの棒状のものとなっていたが、本実施形態では、モダン部１０Ｇが太さの変化する棒状のものとなり、従来のモダン部のように、末端に行くほどに断面が徐々に大きくなるモダン部が構成されることになる。
【００７９】
＜第８実施形態＞
図９に示す第８実施形態の眼鏡フレームのモダン部１０Ｈでは、錘コマ２１２の長さＢが配列位置に応じて変化するように設定されている。即ち、モダン部１０Ｈの最大曲げ想定部の領域Ｋほど、長さの小さい錘コマ２１２Ａを配列している。このように錘コマ２１２の長さＢを変化させることで、錘コマ２１２の使用個数を減らすことができる。即ち、錘コマ２１２の使用個数を減らすために、単に錘コマ２１２の長さを大きくして配列した場合は、モダン部１０Ｈの曲げ性能に支障が生じる可能性があるが、曲げの大きい領域ほど長さの小さい錘コマ２１２Ａを配列し、他の領域では長さの大きい錘コマ２１２Ｂを配列するようにしている。こうすることで、モダン部１０Ｈの曲げ性能に支障を来さずに、錘コマ２１２の使用個数を減らすことができる。
【００８０】
なお、図８の第７実施形態と図９の第８実施形態とを組み合わせて、錘コマの配列位置に応じて、外径と長さの両方を変化させてもよい。
【００８１】
次に芯金と錘コマの嵌合形状について説明する。図１０は芯金１１と錘コマ１２の嵌合部断面の各例を示している。
（ａ）は錘コマ１２が断面円形に形成されている場合である。この場合は、錘コマ１２が回転しても構わないので、貫通孔１２ａの断面も円形、芯金１１の断面の円形にしてある。
【００８２】
（ｂ）〜（ｆ）は錘コマ１２を楕円断面（その他の多角形断面なども同様）に形成した場合である。これらの場合は、錘コマ１２の回転防止のために、錘コマ１２の貫通孔１２ａと芯金１１の断面に回り止め構造を設けている。
【００８３】
その回り止め構造としては、錘コマ１２の貫通孔１２ａと芯金１１の嵌合部の断面を円形以外にする方法があり、（ｂ）の例では、貫通孔１２ａと芯金１１の両方の断面を楕円形に形成している。また、（ｃ）、（ｄ）の例では、貫通孔１２ａと芯金１１の両方の断面を円形にしているものの、回転止めのために互いに嵌合するキー３１、３３及びキー溝３２、３４を設けている。また、（ｅ）、（ｆ）の例では、貫通孔１２ａと芯金１１の両方の断面を多角形にしている。
【００８４】
このように錘コマ１２の回り止め構造を設ける場合、前端ストッパ１３や後端ストッパ１４にも、必要により回り止め構造を設けてもよい。
【００８５】
なお、上記実施形態では、錘コマ１２に全周が閉じた形状の貫通孔１２ａを設けた場合を示したが、全周が閉じていない形状の貫通孔１２ａを設けて、芯金１１に装着してもよい。即ち、（ｇ）に示すように、貫通孔１２ａの周方向の一部に切欠部１２ｇがあっても、芯金１１に脱落しないように装着できればよい。この場合、特別な工具で切欠部１２ｇを開いたり、あるいは、錘コマ１２を弾性を有する材料で構成し、切欠部１２ｇを芯金１１に押し込んだりすることで装着できる。このため、錘コマ１２を芯金１１の末端まで移動させないでも、途中から取り外すことが可能になる。
【００８６】
また、芯金１１や錘コマ１２に特別な回り止め構造を設けない場合でも、図４に示したように、後から熱収縮チューブ等のカバー２０を被せる場合は、そのカバー２０によって錘コマ１２の回り止めを行うことができる。従って、楕円断面の錘コマを使用した場合、楕円の長径方向を上下方向に向けた姿勢で錘コマ１２を固定することができる。
【００８７】
次に、上述のような錘コマを使用せずに、バランス調整を行うことの可能な本発明の第９〜１３実施形態について説明する。
【００８８】
＜第９実施形態＞
図１１は第９実施形態の眼鏡フレームのモダン部４１０Ａの断面を示す。この眼鏡フレームでは、テンプルから後方に延びるモダン部４１０Ａの内部に、塑性変形可能な芯金（芯材）４１１を、テンプルの延長方向に沿ってモダン部４１０Ａの後端付近まで延在させて設け、また、この芯金４１１と並行するようにモダン部４１０Ａの内部に、末端入口を栓部材４１３で塞ぐことのできる空洞部４１２を設け、その空洞部４１２の中に、モダン部４１０Ａの塑性変形を許容する状態で、着脱可能に多数の玉状の小錘体（錘材）４１４を収容している。小錘体４１４は前述した錘コマと同様に、金属や非金属よりなるものである。このようにモダン部４１０Ａに形成した空洞部４１２に多数の小錘体４１４を封入することにより、小錘体４１４の選択によってモダン部４１０Ａの重さを簡単に調整することができる。
【００８９】
この眼鏡フレームは、モダン部４１０Ａの空洞部４１４に多数の小錘体４１４を収容するものの、モダン部４１０Ａが塑性変形できるようになっているので、モダン部４１０Ａを自由に曲げて、装用者の耳にフィッティングさせることができる。この場合、モダン部４１０Ａが曲げられることで小錘体４１４同士の接触角度が変わっても、球状の小錘体４１４の球面同士の接触であるから、小錘体４１４の配列長さは変わらず、モダン部４１０Ａの曲げに支障を来すことがない。
また、モダン部４１０Ａに収容した小錘体４１４が、耳部を支点にしたカウンタバランス機能を発揮するので、眼鏡の重心位置を耳側に近寄せることができて、装用感の向上を図ることができる。また、空洞部４１２に収容する小錘体４１４は着脱自在であるから、小錘体４１４の総重量を変えるだけで、眼鏡の微妙な重心位置の調整が柔軟にできる。
【００９０】
＜第１０実施形態＞
図１２（ａ）は第１０実施形態の眼鏡フレームのモダン部４１０Ｂの断面を示している。この眼鏡フレームでは、モダン部４１０Ｂの空洞部４１２に入れる錘材として、（ｂ）に拡大して示すような複数の円柱棒状の小錘体４１５を使用している。この場合、小錘体４１５の両端面は凸面４１５ａとなっており、空洞部４１２の中で、隣り合う小錘体４１５は、凸面４１５ａ同士を接触させた状態で保持されている。
【００９１】
＜第１１実施形態＞
図１２に示す第１０実施形態では、小錘体４１５の両端面を共に凸面４１５ａとしていたが、図１３（ａ）、（ｂ）に示す第１１実施形態の眼鏡フレームのモダン部４１０Ｃでは、円柱棒状の小錘体４１６の両端面のうち、片方の面を凸面４１６ａとし、もう一方の面を前記凸面４１６ａと同曲率の凹面４１６ｂとしている。このモダン部４１０Ｃの場合、小錘体４１６を向きを揃えて空洞部４１２に入れることにより、隣り合う小錘体４１６が、凸面４１６ａと凹面４１６ｂを面接触させた状態で保持されている。
【００９２】
これら第１０、第１１実施形態の場合も、第９実施形態と同様に、モダン部４１０Ｂ、４１０Ｃを曲げても小錘体４１５、４１６の配列長さがほとんど変わらないため、モダン部４１０Ｂ、４１０Ｃの曲げに支障を来すことがない。また、比重の違う小錘体４１５、４１６に交換することにより、重心位置を柔軟に調整できる。
【００９３】
なお、上記第９〜第１１実施形態において、栓部材４１３の空洞部４１２を塞ぐ部分の先端や、空洞部４１２の最奥部などに、伸縮可能な弾性部材（例えば、バネや発泡樹脂など）を設けてもよい。このようにすることにより、空洞部４１２に隙間が生じている場合でも、小錘体４１４、４１５、４１６のがたつきを抑えることができるようになる。また、弾性部材の伸縮可能な範囲内において小錘体４１４、４１５、４１６を取り除くことにより、小錘体４１４、４１５、４１６の総重量を調整することもできる。また、特に空洞部４１２の最奥部に弾性部材を設けた場合は、弾性部材の反力の作用で、小錘体４１４、４１５、４１６を取り出すのが容易になる。
【００９４】
＜第１２実施形態＞
図１４は第１２実施形態の眼鏡フレームのモダン部４１０Ｄの断面を示す。この眼鏡フレームでは、モダン部４１０Ｄの空洞部４１２に入れる錘材として、粉末体４１７を使用している。この場合、粉末体４１７として、比重の異なる材料を他種類用意しておけば、それを交換したり混ぜたりすることで、モダン部４１０Ｄの重量を細かく調整することができる。
【００９５】
＜第１３実施形態＞
図１５は第１３実施形態の眼鏡フレームのモダン部４１０Ｅの断面を示す。この眼鏡フレームでは、モダン部４１０Ｅの空洞部４１２に入れる錘材として、微粒体４１８を使用している。この場合、微粒体４１８として、比重の異なる材料を他種類用意しておけば、それを交換したり混ぜたりすることで、モダン部４１０Ｅの重量を細かく調整することができる。
【００９６】
なお、上記第９〜第１３実施形態では、モダン部４１０Ａ〜４１０Ｅの内部に芯金（芯材）４１１を設けた場合を例示しているが、モダン部４１０Ａ〜４１０Ｅの材料自体が塑性変形可能で、しかも、変形した形状を保持し得る性能を有している場合は、芯金を設けないことも可能である。
【００９７】
次に、眼鏡を注文してから購入者がバランス調整した状態の眼鏡を受け取るまでの流れについて説明する。ここでは、錘コマを装着する方式の場合を例にとって述べる。
【００９８】
まず、装用者は眼鏡店で眼鏡フレームを選択する。ここで、予め店頭サンプルの眼鏡フレームには、サンプルレンズが嵌められており、これにて最適な重心が得られるようにバランス調整が施されている。
【００９９】
眼鏡フレームが決定したら、テンプルのモダン部の曲げを装用者の耳に仮り合わせする（仮フィッティング）。
【０１００】
そして一方で、装用者処方値（基本度数、乱視度数、乱視軸角度、プリズム、瞳孔間距離など）を決定し、レンズ仕様（レンズ財津、設計タイプ、フレームレイアウトなど）を決定する。これにて、眼鏡フレームと処方及びレンズ仕様等から矯正レンズ重量が決定する。
【０１０１】
次に、矯正レンズ重量とフレーム総重量から、調整可能な重心範囲（重心位置＝鼻支点、耳支点に対する位置）が決定する。この調整可能な重心範囲内で目標とする重心位置を決定する。目標とする重心位置を決定するに当たっては、予め調査した掛け心地の良いと感じる重心位置の平均値を採用したり、重心位置を変えた複数のサンプルを用意して、装用者の好みの位置を確認するなどして決定する。
【０１０２】
重心位置が決定したら、装着すべき錘コマの配置（錘コマの種類や順番）を決定する。即ち、デモレンズから矯正レンズに換装した場合の重量の増減で、錘コマを追加するか減らすか、また、配列の順番をどうするかなどを決定する。
【０１０３】
この際、目標とする眼鏡の重心位置を支点とし、その重心位置からレンズまでの距離・重量、同重心位置から付加する錘コマの重心までの距離・重量を計算して、不足重量を算出する。
【０１０４】
次に、後端ストッパを取り外して、不足重量に応じて錘コマを交換する。樹脂カバーがある場合は、樹脂カバーごと錘コマを取り外した上で、錘コマを交換するのがよい。錘コマの交換が終わったら、後端ストッパを取り付ける。
【０１０５】
モダン部の曲がりは装用者ごとに異なるため、フィッティング後に算出値通りの錘コマを搭載した状態で、簡易的な計測器で微調整を行う。計測は、前述したように２台の秤にそれぞれ鼻パッド及びモダン部を載せて、それぞれの荷重を計測し、モダン部の荷重の過不足を錘コマの増減により調整する。
【０１０６】
重心調整が終了したら、必要に応じて熱収縮樹脂よりなるカバーを被覆し、装用者に合わせて、鼻パッドの当たりや耳掛け部の曲がりを調整する（フィッティング）。
【０１０７】
また、レンズ交換等のメンテナンス時にも、以上とほぼ同様のバランス調整を行う。その場合の手順としては、まず、樹脂カバーがある場合は、樹脂カバーを取り外し、後方ストッパを外し、錘コマを抜き取り、錘コマを組み替える。ここで、カバーが熱収縮チューブ製である場合は、チューブを切断し、錘コマを取り外して組み替え、組み替えた後、新たな熱収縮チューブ製のカバーを被せることになる。また、シリコン等の弾性カバーである場合は、錘コマを抜き取って組み替えた後、元のカバーを再利用して装着する。このとき、錘コマが落ちないように後端ストッパを忘れずに取り付ける。
【０１０８】
次いで、装用者に合わせて、鼻パッドの当たりや、耳掛け部の曲がりを調整する（フィッティング）。
【０１０９】
【発明の効果】
以上説明したように、請求項１〜１２の発明によれば、複数の錘コマを芯材上に配列してモダン部を構成するものの、芯材を塑性変形可能な状態に維持しているので、既存の眼鏡フレームのモダン部と同様に、モダン部を自由に曲げて、装用者の耳にフィッティングさせることができる。また、モダン部に設けた複数の錘コマが、耳部を支点にしたカウンタバランス機能を発揮するので、眼鏡の重心位置を耳側に近寄せることができる。従って、鼻への重量負担を減らすことができて、鼻側のずり落ちを防止することができると共に、下を向いた際にレンズの重みでテンプルの後端が持ち上がるようなことも少なくなり、装用感の向上が図れる。また、複数の錘コマは芯材に対して着脱可能であるため、錘コマを交換するという簡単な操作で、眼鏡の微妙な重心位置の調整が柔軟にできる。また、バランス調整のために、むやみに形状が大きくなったり重量が重くなり過ぎたりすることもない。
【０１１０】
特に、請求項２の発明のように、隣り合う錘コマ同士を密着させれば、デザイン性が増し、請求項３の発明のように、錘コマの配列の両端を固定手段で規制すれば、錘コマが無用に動くことがなくなり、隣り合う錘コマ同士の密着状態を維持することができる。また、固定手段を取り外すことで、簡単に錘コマの出し入れができるので、錘コマの交換が容易であり、眼鏡の重心位置の調整が簡単にできるようになる。
【０１１１】
また、請求項４の発明のように、貫通孔に芯材を通しながら、錘コマを一列に配列するようにすれば、錘コマを芯材に確実且つ簡単に装着することができるようになる。また、芯材の外周に錘コマを配列することにより、錘コマによってモダン部のデザインを決めることができるようになる。従って、例えば、錘コマのカラーバリエーションを揃えることで、モダン部のカラー変更にも柔軟に対応できる。
【０１１２】
また、請求項５の発明のように、隣り合う錘コマ同士の密着を同曲率の凸面と凹面の組み合わせで行うことにより、錘コマの配列長さを変えずにモダン部の柔軟な曲げを保証することができ、フィッティング性能を損なうことがない。
【０１１３】
また、請求項１２の発明のように、モダン部にチューブ状のカバーを被覆すれば、カバーによってモダン部の外観デザイン（特に色、艶、感触等）を決めることができ、意匠の自由度が増す。
【０１１４】
請求項１３〜１５の発明によれば、モダン部に空洞部を形成し、その空洞部に錘材を着脱自在に収容したので、その錘材のカウンタバランス機能により、眼鏡の重心位置を耳側に近寄せることができる。従って、鼻への重量負担を減らすことができて、鼻側のずり落ちを防止することができると共に、下を向いた際にレンズの重みでテンプルの後端が持ち上がるようなことも少なくなり、装用感の向上が図れる。また、空洞部に収容する錘材は着脱可能であるから、その錘材の重さを変える（例えば、比重の違う錘材を使ったり、錘材の数量を変えたりする）だけで、眼鏡の微妙な重心位置の調整が柔軟にできる。また、空洞部に錘材を収容するものの、モダン部が塑性変形できるようになっているので、モダン部を自由に曲げて、装用者の耳にフィッティングさせることができる。また、バランス調整のために、むやみに形状が大きくなったり重量が重くなり過ぎたりすることもない。
【図面の簡単な説明】
【図１】本発明の第１実施形態の眼鏡フレームの構成図で、（ａ）は眼鏡フレームにレンズを嵌めた完成品の眼鏡の側面視図、（ｂ）は同眼鏡フレームのモダン部の拡大断面図、（ｃ）は同モダン部を構成する錘コマの拡大断面図である。
【図２】（ａ）は眼鏡の支持点と重心の関係を模式的に示す図、（ｂ）は力のバランスを示す模式図である。
【図３】前記モダン部を構成する部品の寸法説明に用いる図で、（ａ）は芯金に錘コマを装着した部分の拡大断面図、（ｂ）は錘コマの拡大断面図である。
【図４】本発明の第２実施形態の眼鏡フレームのモダン部の断面図である。
【図５】本発明の各実施形態の眼鏡フレームにおけるモダン部の概略図で、（ａ）は第１実施形態のモダン部、（ｂ）は第３実施形態のモダン部、（ｃ）は第４実施形態のモダン部を示す図である。
【図６】本発明の第５実施形態の眼鏡フレームにおけるモダン部の概略図である。
【図７】本発明の第６実施形態の眼鏡フレームにおけるモダン部の概略図で、（ａ）は全体外観図、（ｂ）は接続部１８の拡大断面図である。
【図８】本発明の第７実施形態の眼鏡フレームにおけるモダン部の概略図である。
【図９】本発明の第８実施形態の眼鏡フレームにおけるモダン部の概略図である。
【図１０】本発明の眼鏡フレームのモダン部を構成する芯金と錘コマの貫通孔の断面形状の各例（ａ）〜（ｇ）を示す断面図である。
【図１１】本発明の第９実施形態の眼鏡フレームにおけるモダン部の概略断面図である。
【図１２】本発明の第１０実施形態の眼鏡フレームにおけるモダン部の概略図で、（ａ）はモダン部の全体構成を示す断面図、（ｂ）は小錘体の拡大図である。
【図１３】本発明の第１１実施形態の眼鏡フレームにおけるモダン部の概略図で、（ａ）はモダン部の全体構成を示す断面図、（ｂ）は小錘体の拡大図である。
【図１４】本発明の第１２実施形態の眼鏡フレームにおけるモダン部の概略断面図である。
【図１５】本発明の第１３実施形態の眼鏡フレームにおけるモダン部の概略断面図である。
【図１６】従来の眼鏡フレームの構成図である。
【符号の説明】
１  眼鏡フレーム
５  テンプル
１０，１０Ｂ〜１０Ｈ  モダン部
１１  芯金（芯材）
１２，１２Ａ，１２Ｂ，１１２，２１２，２１２Ａ，２１２Ｂ  錘コマ
１２ａ  貫通孔
１２ｃ  凸面
１２ｄ  凹面
１３，１３Ｂ，１３Ｃ，１３Ｄ  前端ストッパ（固定手段）
１４，１４Ｂ  後端ストッパ（固定手段）
２０  カバー
４１０Ａ，４１０Ｂ，４１０Ｃ，４１０Ｄ  モダン部
４１２  空洞部
４１４  玉状の小錘体（錘材）
４１５，４１６  棒状の小錘体（錘材）
４１７  粉末体（錘材）
４１８  微粒体（錘材）
【図１】
2004184819.tif 000003
【図２】
2004184819.tif 000004
【図３】
2004184819.tif 000005
【図４】
2004184819.tif 000006
【図５】
2004184819.tif 000007
【図６】
2004184819.tif 000008
【図７】
2004184819.tif 000009
【図８】
2004184819.tif 000010
【図９】
2004184819.tif 000011
【図１０】
2004184819.tif 000012
【図１１】
2004184819.tif 000013
【図１２】
2004184819.tif 000014
【図１３】
2004184819.tif 000015
【図１４】
2004184819.tif 000016
【図１５】
2004184819.tif 000017
【図１６】
2004184819.tif 000018